(57)【要約】【課題】低反発値領域における硬度測定値の基準合わせを精度良く行うことができ、しかも、温度や経時などの環境の変化によって測定値に誤差を生じることのない極めて実用性に秀れた画期的なテストハンマー用検定器を提供すること。【解決手段】検定器本体６内に所定硬度を有する打撃硬体７を設け、前記検定器本体６と前記打撃硬体７との間に、この打撃硬体７を検定器本体６に対して弾圧支承する金属製弾性体８を設け、前記金属製弾性体８に打撃硬体７を弾圧支承し、この打撃硬体７にプランジャ４を当接し、テストハンマー本体１を前記打撃硬体７に向けて押し付け所定位置でプランジャ４を介してハンマー体２で打撃硬体７を打撃した際、この打撃により前記金属製弾性体８が撓んで前記打撃硬体７が前記打撃による衝撃を吸収することで、打撃硬体７から本来得られる反発硬度値よりも低い反発硬度値を得られるように構成したテストハンマー用検定器。【選択図】        図２
2004245589.tif 000002
【特許請求の範囲】
【請求項１】
テストハンマー本体内にハンマー体を摺動自在に設け、このハンマー体をスプリングの弾性復帰力で、テストハンマー本体に突没動自在に設けた測定物打撃用プランジャを介してコンクリート等の測定物に打撃し、この打撃により前記ハンマー体が反発した移動量によって測定物の硬度を測定し得るように構成したテストハンマーの前記硬度測定値を所定の基準値に基準合わせするためのテストハンマー用検定器において、検定器本体内に所定硬度を有する打撃硬体を設け、前記検定器本体と前記打撃硬体との間に、この打撃硬体を検定器本体に対して弾圧支承する金属製弾性体を設け、前記金属製弾性体に打撃硬体を弾圧支承し、この打撃硬体に前記プランジャを当接し、テストハンマー本体を前記打撃硬体に向けて押し付け所定位置でプランジャを介してハンマー体で打撃硬体を打撃した際、この打撃により前記金属製弾性体が撓んで前記打撃硬体が前記打撃による衝撃を吸収することで、打撃硬体から本来得られる反発硬度値よりも低い反発硬度値を得られるように構成したことを特徴とするテストハンマー用検定器。
【請求項２】
前記金属製弾性体として板状若しくは円盤状あるいはコイル状の金属製弾性体を採用し、この金属製弾性体の端部を前記検定器本体に固定することでこの金属製弾性体を前記検定器本体に撓み動自在に配設し、前記金属製弾性体の略中央部に前記打撃硬体を載置固定することで、この打撃硬体を前記プランジャを介してハンマー体で打撃した際、この打撃により生じる衝撃を安定して吸収することで、前記打撃硬体から本来得られる反発硬度値よりも低い反発硬度値を得られるように構成したことを特徴とする請求項１記載のテストハンマー用検定器。
【請求項３】
テストハンマー本体内にハンマー体を摺動自在に設け、このハンマー体をスプリングの弾性復帰力で、テストハンマー本体に突没動自在に設けた測定物打撃用プランジャを介してコンクリート等の測定物に打撃し、この打撃により前記ハンマー体が反発した移動量によって測定物の硬度を測定し得るように構成したテストハンマーの前記硬度測定値を所定の基準値に基準合わせするためのテストハンマー用検定器において、検定器本体内に所定硬度を有する打撃硬体を設け、前記検定器本体と前記打撃硬体との間に、この打撃硬体を検定器本体に対して弾圧支承する弾性体を設け、前記弾性体に打撃硬体を弾圧支承し、前記打撃硬体，前記弾性体若しくは前記打撃硬体及び前記弾性体に、前記打撃硬体の重量，前記弾性体の重量若しくは前記打撃硬体及び前記弾性体の重量を調整し得る重量調整機構を設け、この重量調整機構により前記重量を調整することで、前記打撃硬体に前記プランジャを当接し、テストハンマー本体を前記打撃硬体に向けて押し付けて所定位置でプランジャを介してハンマー体で打撃硬体を打撃した際、この打撃により撓む前記弾性体のこの撓み具合を調整し前記打撃硬体が前記打撃による衝撃の吸収度合いを調整し得るように構成して、前記打撃硬体から本来得られる反発硬度値を所定の反発硬度値に設定し得るように構成したことを特徴とするテストハンマー用検定器。
【請求項４】
前記弾性体を金属製弾性体としたことを特徴とする請求項３記載のテストハンマー用検定器。
【請求項５】
前記重量調整機構を、前記打撃硬体，前記金属製弾性体若しくは前記打撃硬体及び前記金属製弾性体に重量調整体を取り付けたり取り外したりすることで、前記打撃硬体の重量，前記金属製弾性体の重量若しくは前記打撃硬体及び前記金属製弾性体の重量を調整し得るように構成したことを特徴とする請求項３，４のいずれか１項に記載のテストハンマー用検定器。
【請求項６】
前記重量調整体として重量調整ボルト若しくは重量調整重りを採用したことを特徴とする請求項５記載のテストハンマー用検定器。
【発明の詳細な説明】
【０００１】
【発明の属する技術分野】
本発明は、テストハンマー用検定器に関するものである。
【０００２】
【従来の技術及び発明が解決しようとする課題】
例えば、コンクリート面を打撃してその反発力を測定することで、前記コンクリート面の硬度を測定するための非破壊式の試験機としてコンクリートテストハンマー（例えば実開昭６１−１３１６４６号公報）が市販されている。
【０００３】
このコンクリートテストハンマーは、筒状の本体内にハンマー体を長さ方向に摺動自在に設け、本体の先端部に突没動自在にプランジャを設けて、このプランジャの先端をコンクリート面に当接し、このプランジャの端部にハンマー体をスプリングの弾性復帰力により打撃し、このときのハンマー体の反発移動量を計測することで、コンクリートの硬度を測定できるよう構成されている。
【０００４】
このコンクリートテストハンマーは、使用頻度に応じて例えばプランジャを介してコンクリート面にハンマー体を打撃するためのスプリングが伸びてしまうなどの原因によって基準値に誤差を生じる。
【０００５】
そのため、通常は、コンクリートハンマーの基準値を定期的に検定したり、使用直前に検定することで正しい測定を行えるようにしている。
【０００６】
このコンクリートテストハンマーの検定は、以下のような構成の検定器を用いて行われる。
【０００７】
即ち、円筒状の本体内に所定重量且つ所定硬度を有する鋼体を配設し、この鋼体に向けてコンクリートテストハンマーを打撃することで表示された硬度数値を、この鋼体が有する硬度数値（即ち、基準値となる数値）に設定することで基準合わせを行うものである。
【０００８】
通常は、例えば重量約１６ｋｇ，表面硬度ＨＲＣ５２以上の鋼体（この硬状体が示す硬度は８０である。）にコンクリートテストハンマーを垂直方向から打撃することで、この打撃によりコンクリートテストハンマーが示す反発硬度数値を８０に設定することで、前記基準合わせを行っている。
【０００９】
ところで、実際に最も多く硬度測定が行われるコンクリートは、３０〜４０の反発硬度値を示す。
【００１０】
そのため、反発硬度値を８０で基準合わせしたコンクリートテストハンマーを用いて、反発硬度が３０〜４０付近を示す実際のコンクリート面を硬度測定すると、基準合わせした硬度数値と、実際に計測した硬度数値とにひらきがありすぎ、これによって測定誤差を生じてしまう問題点がある。尚、最も好ましいのは、実際に計測する硬度数値の領域（近傍）において基準合わせをすることである。
【００１１】
従って、コンクリートテストハンマーの基準合わせをしたのにもかかわらず、最も使用することの多いコンクリート面の硬度を測定する際には、精度の高い硬度測定を行うことができなかった。
【００１２】
一方、３０〜４０の低反発硬度値で基準合わせしようとするものとして、以下のような低い反発値用検定器が種々提案されている。
【００１３】
この低反発値用検定器は、本体内に所定硬度，所定重量の鋼体を配設し、この鋼体と本体の底部との間に粘弾性体（合成樹脂やオイル等）を配設して前記鋼体にプランジャを当接し、このプランジャを介してハンマー体で鋼体を打撃することで、鋼体が粘弾性体によって所定量下方へ移動することで（即ち、ハンマー体がプランジャを打撃した際の衝撃を前記粘弾性体が所定量分吸収することで）、ハンマー体の反発移動量を小さく（即ち例えば反発硬度が３０〜４０を示すように）設定することで、低反発値での基準合わせを実現しようとするものである。
【００１４】
しかしながら、この低反発値用の検定器は、前述した通り、鋼体と本体とを粘弾性体（合成樹脂やオイル等）によって摺動自在に連結しており、この合成樹脂やオイル等は、温度や経時により弾性力が変化し易いことから、測定する際の周囲の環境によって測定値にばらつきを生じてしまう問題点がある。
【００１５】
従って、結局のところ、この低反発値検定器を用いても低反発値（反発値３０〜４０程度）における精度の高い基準合わせが行えない現状である。
【００１６】
本発明は、繰り返しの研究，検討の末、上述した問題点を解決したもので、低反発値領域における硬度測定値の基準合わせを精度良く行うことができ、しかも、温度や経時などの環境の変化によって測定値に誤差を生じることのない極めて実用性に秀れた画期的なテストハンマー用検定器を提供することを目的としている。
【００１７】
【課題を解決するための手段】
添付図面を参照して本発明の要旨を説明する。
【００１８】
テストハンマー本体１内にハンマー体２を摺動自在に設け、このハンマー体２をスプリング３の弾性復帰力で、テストハンマー本体１に突没動自在に設けた測定物打撃用プランジャ４を介してコンクリート等の測定物５に打撃し、この打撃により前記ハンマー体２が反発した移動量によって測定物５の硬度を測定し得るように構成したテストハンマーの前記硬度測定値を所定の基準値に基準合わせするためのテストハンマー用検定器において、検定器本体６内に所定硬度を有する打撃硬体７を設け、前記検定器本体６と前記打撃硬体７との間に、この打撃硬体７を検定器本体６に対して弾圧支承する金属製弾性体８を設け、前記金属製弾性体８に打撃硬体７を弾圧支承し、この打撃硬体７に前記プランジャ４を当接し、テストハンマー本体１を前記打撃硬体７に向けて押し付け所定位置でプランジャ４を介してハンマー体２で打撃硬体７を打撃した際、この打撃により前記金属製弾性体８が撓んで前記打撃硬体７が前記打撃による衝撃を吸収することで、打撃硬体７から本来得られる反発硬度値よりも低い反発硬度値を得られるように構成したことを特徴とするテストハンマー用検定器に係るものである。
【００１９】
また、前記金属製弾性体８として板状若しくは円盤状あるいはコイル状の金属製弾性体８を採用し、この金属製弾性体８の端部を前記検定器本体６に固定することでこの金属製弾性体８を前記検定器本体６に撓み動自在に配設し、前記金属製弾性体８の略中央部に前記打撃硬体７を載置固定することで、この打撃硬体７を前記プランジャ４を介してハンマー体２で打撃した際、この打撃により生じる衝撃を安定して吸収することで、前記打撃硬体７から本来得られる反発硬度値よりも低い反発硬度値を得られるように構成したことを特徴とする請求項１記載のテストハンマー用検定器に係るものである。
【００２０】
また、テストハンマー本体１内にハンマー体２を摺動自在に設け、このハンマー体２をスプリング３の弾性復帰力で、テストハンマー本体１に突没動自在に設けた測定物打撃用プランジャ４を介してコンクリート等の測定物５に打撃し、この打撃により前記ハンマー体２が反発した移動量によって測定物５の硬度を測定し得るように構成したテストハンマーの前記硬度測定値を所定の基準値に基準合わせするためのテストハンマー用検定器において、検定器本体６内に所定硬度を有する打撃硬体７を設け、前記検定器本体６と前記打撃硬体７との間に、この打撃硬体７を検定器本体６に対して弾圧支承する弾性体８を設け、前記弾性体８に打撃硬体７を弾圧支承し、前記打撃硬体７，前記弾性体８若しくは前記打撃硬体７及び前記弾性体８に、前記打撃硬体７の重量，前記弾性体８の重量若しくは前記打撃硬体７及び前記弾性体８の重量を調整し得る重量調整機構９を設け、この重量調整機構９により前記重量を調整することで、前記打撃硬体７に前記プランジャ４を当接し、テストハンマー本体１を前記打撃硬体７に向けて押し付けて所定位置でプランジャ４を介してハンマー体２で打撃硬体７を打撃した際、この打撃により撓む前記弾性体８のこの撓み具合を調整し前記打撃硬体７が前記打撃による衝撃の吸収度合いを調整し得るように構成して、前記打撃硬体７から本来得られる反発硬度値を所定の反発硬度値に設定し得るように構成したことを特徴とするテストハンマー用検定器に係るものである。
【００２１】
また、前記弾性体８を金属製弾性体８としたことを特徴とする請求項３記載のテストハンマー用検定器に係るものである。
【００２２】
また、前記重量調整機構９を、前記打撃硬体７，前記金属製弾性体８若しくは前記打撃硬体７及び前記金属製弾性体８に重量調整体１０を取り付けたり取り外したりすることで、前記打撃硬体７の重量，前記金属製弾性体８の重量若しくは前記打撃硬体７及び前記金属製弾性体８の重量を調整し得るように構成したことを特徴とする請求項３，４のいずれか１項に記載のテストハンマー用検定器に係るものである。
【００２３】
また、前記重量調整体１０として重量調整ボルト１０若しくは重量調整重り１０Ａを採用したことを特徴とする請求項５記載のテストハンマー用検定器に係るものである。
【００２４】
【発明の実施の形態】
好適と考える本発明の実施の形態（発明をどのように実施するか）を、図面に基づいてその作用効果を示して簡単に説明する。
【００２５】
測定器本体６内の打撃硬体７にテストハンマー本体１のプランジャ４を当接し、このテストハンマー本体１を打撃硬体７に向けて押し付け、所定位置でスプリング３の弾性復帰力によりプランジャ４を介して打撃硬体７にハンマー体２を打撃すると、打撃硬体７を弾圧支承している金属製弾性体８が前記打撃による衝撃により撓み、これにより、前記打撃による衝撃を吸収することとなって打撃硬体７が本来有する反発硬度値よりも低い反発硬度値を得られることとなる。
【００２６】
この際、打撃硬体７を、ラバーやオイルなどの粘弾性体の弾性作用により撓み動するように構成したのではなく、温度や経時などの環境による変化をほどんど受けない金属製弾性体８の弾性作用により撓み動する構成としたことで、温度変化や経時によっても安定した一定の反発硬度値（即ち基準値となる硬度）を得られることとなる。
【００２７】
例えば、打撃硬体７の重量若しくは金属製弾性体８の撓み度合いを調整して反発硬度値３０〜４０の吸収度合いに設定することで、実際測定する数値領域で温度や経時などの環境の影響を受けずに安定して基準合わせできることとなる。
【００２８】
従って、本発明は、これまで安定した基準値合わせを行うことが難しかった低反発値領域において、温度や時間などの環境の変化にほとんど影響を受けずに安定した基準合わせを行うことができる。
【００２９】
また、例えば、前記金属製弾性体８として板状若しくは円盤状あるいはコイル状の金属弾性体８を採用し、この金属製弾性体８の端部を前記検定器本体６に固定することで、この金属製弾性体８を前記検定器本体６に撓み動自在に配設し、前記金属製弾性体８の略中央部に前記打撃硬体７を載置固定すれば、プランジャ４で打撃硬体７を打撃した際、この打撃硬体７を弾圧支承する金属弾生体８が略均等に撓んで安定した基準値となる反発硬度値を得られることとなり、また、金属製弾性体８として板状若しくは円盤状あるいはコイル状の金属製弾性体８を採用することで、簡易な構成でプランジャ４を介してハンマー体２で打撃硬体７を打撃した際の衝撃を吸収することができることとなるなど、一層実用的となる。
【００３０】
しかも、例えば、前記打撃硬度体７，前記金属製弾性体８若しくは前記硬状体７及び前記金属製弾性体８に、前記打撃硬体７の重量，前記金属製弾性体８の重量若しくは前記打撃硬体７及び前記金属製弾性体８の重量を調整し得る重量調整機構９を設ければ、プランジャ４を介して打撃硬体７にハンマー体２を打撃した際の金属製弾性体８の撓み度合いを前記重量調整機構９で重量調整を行うことで変更することができ、即ち、ハンマー体２でプランジャ４を打撃した際の衝撃の吸収度合いを前記重量調整機構９で重量調整を行うことで変更できることとなるなど、一層実用的となる。
【００３１】
また、例えば、前記重量調整機構９を、前記打撃硬体７，前記金属製弾性体８若しくは前記打撃硬体７及び前記金属製弾性体８に重量調整体１０を取り付けたり取り外したりすることで、前記打撃硬体７の重量，前記金属製弾性体８の重量若しくは前記打撃硬体７及び前記金属製弾性体８の重量を調整し得るように構成すれば、簡易な構成で前記打撃硬体７の重量，前記金属製弾性体８の重量若しくは前記打撃硬体７及び前記金属製弾性体８の重量を調整できることとなるなど、一層実用的となる。
【００３２】
また、例えば、前記重量調整体１０として重量調整ボルト１０若しくは重量調整重り１０Ａを採用すれば、一層簡易且つコスト安に前記打撃硬体７の重量，前記金属製弾性体８の重量若しくは前記打撃硬体７及び前記金属製弾性体８の重量を調整できることとなるなど、一層実用的となる。
【００３３】
【実施例】
図面は本発明の一実施例を図示したものであり、以下に説明する。
【００３４】
本実施例は、テストハンマー本体１内にハンマー体２を摺動自在に設け、このハンマー体２をスプリング３の弾性復帰力で、テストハンマー本体１に突没動自在に設けた測定物打撃用プランジャ４を介してコンクリート５に打撃し、この打撃により前記ハンマー体２が反発した移動量によってコンクリート５の硬度を測定し得るように構成したコンクリートテストハンマー（図４参照）の前記硬度測定値を所定の基準値に基準合わせするためのコンクリートテストハンマー用検定器に関するものであり、検定器本体６内に所定硬度を有する打撃硬体７を設け、前記検定器本体６と前記打撃硬体７との間に、この打撃硬体７を検定器本体６に対して弾圧支承する板状の金属製弾性体８を設け、前記金属製弾性体８に打撃硬体７を固定して弾圧支承し、この打撃硬体７に前記プランジャ４を当接し、テストハンマー本体１を前記打撃硬体７に向けて押し付け所定位置でプランジャ４を介して前記スプリング３の弾性復帰力によりハンマー体２で打撃硬体７を打撃した際、この打撃により前記金属製弾性体８が撓むことで前打撃硬体７が前記打撃による衝撃を吸収し、これにより、前記ハンマー体２の反発移動量を所定の移動量に設定し得るように構成したものである。
【００３５】
検定器本体６は、図１に示すように、円筒状の胴体部６Ａと、この胴体部６Ａの上部に付設され、胴体部６Ａ内に収納配設する打撃硬体７及び金属製弾性体８を上方からカバーする円筒状のカバー部６Ｂとで形成された構成としている。
【００３６】
また、このカバー部６Ｂの上部にはコンクリートテストハンマーをガイドしてプランジャ４の先端を打撃硬体７に略垂直に当接させるガイド筒１１を設けた構成としている。
【００３７】
具体的には、胴体部６Ａは、その中心部に上方から下方へ向けて貫通する貫通孔１３を形成した構成としている。
【００３８】
また、胴体部６Ａの上方内部にはカバー部６Ｂの下部を嵌合し得る嵌合凹部２１を設けた構成としている。
【００３９】
カバー部６Ｂは、図１〜図３に示すように、前記嵌合凹部２１に下部を嵌合し得る円筒状体で構成し、上部中央には前記ガイド筒１１を挿入配設し得る挿入孔２２を設け、下部外縁部にはこのカバー部６Ｂを胴体部６Ａに固定するための係止ボルト２１を挿通するボルト挿通孔（図示省略）を複数形成した鍔部２３を設けた構成としている。
【００４０】
胴体部６Ａの内部には、打撃硬体７と金属製弾性体８を配設した構成としている。
【００４１】
打撃硬体７は、所定重量，所定硬度を有するアンビルウエイト７を採用している。
【００４２】
このアンビルウエイト７は鋼により形成し、また、円盤状に形成した構成とし、中央部にはコンクリートテストハンマーのプランジャ４を当接しこのプランジャ４を介してハンマー体２を打撃する打撃凸部１８を設けた構成としている。尚、本実施例では、アンビルウエイト７を鋼製としたが、テストハンマー用の検定器として安定して基準値合わせができる硬体であれば適宜採用しても良い。
【００４３】
金属製弾性体８としては、円盤状の金属製弾性体８（即ち円盤状板バネ）を採用している。尚、本実施例では金属製弾性体８として円盤状の板バネを採用したが、撓み弾性作用を発揮し得るものであれば、適宜採用しても良く、例えば方形状の板バネあるいは貫通孔１３にコイルバネを採用した構成を採用しても良い。
【００４４】
この金属製弾性体８の略中央部に前記アンビルウエイト７を載置固定した構成としている。
【００４５】
また、打撃硬体７と金属製弾性体８とは、後述する重量調整ボルト１０により固定した構成としている。
【００４６】
そして、胴体部６Ａ内に打撃硬体７及び金属製弾性体８を配設しカバー部６Ｂの下部を嵌合凹部２１に嵌合してカバー部６Ｂの鍔部２３に設けた挿通孔と金属製弾性体８の所定位置に形成した挿通孔２４とに係止ボルト１２を挿入して螺着することで、金属製弾性体８にアンビルウエイト７を弾圧支承した状態で胴体部６Ａ内に配設した構成としている。
【００４７】
この際、カバー部６Ｂの内面と、アンビルウエイト７及び金属製弾性体８の外面との間には、コンクリートテストハンマーのプランジャ４を介してハンマー体２でアンビルウエイト７を打撃した際、このアンビルウエイト７及び金属製弾性体８の撓み動を許容する空間部１９を設けた構成としている。
【００４８】
また、金属製弾性体８の下面と検定器本体６の嵌合凹部２１上面との間にも、前記アンビルウエイト７及び金属製弾性体８の撓み動を許容する空間部２０を設けた構成としている。
【００４９】
アンビルウエイト７と金属製弾性体８にはこのアンビルウエイト７及び金属製弾性体８の重量を調整する重量調整機構９を設けた構成としている。
【００５０】
即ち、この重量調整機構９は、アンビルウエイト７及び金属製弾性体８に重量調整体１０となる重量調整ボルト１０及び重量調整重り１０Ａを取り付けたり取り外したりすることで、アンビルウエイト７及び金属製弾性体８の重量を所定の重量に設定し得る構成としている。
【００５１】
具体的には、アンビルウエイト７及び金属製弾性体８に、連通する螺子孔を複数箇所設け、この複数の螺子孔を設けた部位に重量調整重り１０Ａを重量調整ボルト１０により取り付けたり取り外したりすることで、アンビルウエイト７及び金属製弾性体８の重量を調整する構成としている。
【００５２】
また、金属製弾性体８の中央部はその他の部位に比してやや肉厚に形成し、この肉厚に形成した部位に螺子孔を設けて重量調整ボルト１０を確固に螺着取り付けできるように構成している。
【００５３】
また、この重量調整ボルト１０は、前述したように、金属製弾性体８にアンビルウエイト７を載置固定する固定ボルトとしての働きも成している。
【００５４】
この重量調整機構９の構成により、このアンビルウエイト７及び金属製弾性体８の重量が重くなるように重量調整重り１０Ａを取り付けた場合には、アンビルウエイト７及び金属製弾性体８の重量が重くなることで、プランジャ４を介してハンマー体２でアンビルウエイト７（打撃凸部１８）を打撃した際、金属製弾性体８の撓み度合いを小さくでき、即ち、打撃の衝撃を吸収する量を小さくできるため、ハンマー体２がプランジャ４に対して反発移動する移動量を大きく設定して反発基準値を高い値に設定することができる。
【００５５】
一方、アンビルウエイト７及び金属製弾性体８の重量が軽くなるように重量調整重り１０Ａを取り外した場合には、アンビルウエイト７及び金属製弾性体８の重量が軽くなることで、プランジャ４を介してハンマー体２でアンビルウエイト７（打撃凸部１８）を打撃した際、金属製弾性体８の撓み度合いを大きくでき、即ち、打撃の衝撃を吸収する量を大きくできるため、ハンマー体２がプランジャ４に対して反発移動する移動量を小さく設定して反発基準値を低い値に設定することができる。
【００５６】
尚、重量調整重り１０の形状は、アンビルウエイト７及び金属製弾性体８の重量を変え得るものであれば、適宜採用しても良く、例えば円盤状でも良いし方形状でも良い。
【００５７】
また、重量調整機構９を構成する重量調整ボルト１０と重量調整重り１０Ａは検定器本体６の外部から簡単に取り付けたり取り外したりしてアンビルウエイト７及び金属製弾性体８の重量を簡単に調整し得る構成としている。
【００５８】
即ち、胴体部６Ａの底部に着脱自在の底板１５を設け、この底板１５を取り外し、胴体部６Ａ内部の貫通孔１３を介して（手を入れるなどして）アンビルウエイト７及び金属製弾性体８に重量調整重り１０Ａを取り付けたり、アンビルウエイト７及び金属製弾性体８に取り付けてある重量調整重り１０Ａを取り外したりできることでアンビルウエイト７及び金属製弾性体８の重量を調整し得る構成としている。
【００５９】
また、本実施例では、底板１５を柔軟性を有する合成樹脂製で形成し、胴体部６Ａの底部に着脱自在に嵌合し得る構成としている。
【００６０】
これにより、胴体部６Ａに底板１５を容易に取り付け取り外しでき、この胴体部６Ａの貫通孔１３に単に手を挿入して重量調整ボルトを取り付け取り外しするだけで簡単にアンビルウエイト７及び金属製弾性体８の重量を調整することができる。
【００６１】
また、検定器本体６の底部に柔軟性を有する合成樹脂を配設することで、コンクリートハンマーの打撃の衝撃や金属製弾性体８の撓み動の振動などを良好に吸収して、より正確で精度の高い基準合わせを行うことができる。
【００６２】
尚、図中符号１７は、ガイド筒１１に挿通したテストハンマー本体１のプランジャ４を打撃凸部１８の上面に当接させることを補助するガイド補助板である。
【００６３】
また、特許請求の範囲における打撃硬体７から本来得られる反発硬度値とは、打撃硬体７を弾性体などで弾圧支承せずに、そのまま打撃硬体７の硬度をコンクリートテストハンマーで計測した際に得られる反発硬度値のことである。
【００６４】
【発明の効果】
本発明は上述のように構成したから、低反発値領域における硬度測定値の基準合わせを精度良く行うことができ、しかも、温度や経時などの環境の変化によって測定値に誤差を生じることのない極めて実用性に秀れた画期的なテストハンマー用検定器となる。
【００６５】
即ち、テストハンマーのプランジャを介してハンマー体を打撃する打撃硬体を、ラバーやオイルなどの粘弾性体の弾性作用により撓み動するように構成したのではなく、温度や時間などの環境による影響をほどんど受けない金属製弾性体の弾性作用により撓み動するように構成することで、温度変化や経時によっても基準値にばらつきを生じさせずに安定して低値領域の基準合わせを行うことができる実用性に秀れた画期的なテストハンマー用検定器となる。
【００６６】
また、請求項２記載の発明においては、プランジャで打撃硬体を打撃した際、この打撃硬体を弾圧支承する金属弾生体が略均等に撓んで安定した基準値となる反発硬度値を得られることとなり、また、金属製弾性体として板状若しくは円盤状あるいはコイル状の金属製弾性体を採用することで、簡易な構成でプランジャを介してハンマー体で打撃硬体を打撃した際の衝撃を吸収して打撃硬体から本来得られる反発硬度値よりも低い反発硬度値を得ることができる極めて実用性に秀れた画期的なテストハンマー用検定器となる。
【００６７】
また、請求項３記載の発明においては、プランジャを介して打撃硬体にハンマー体を打撃した際の金属製弾性体の撓み度合いを前記重量調整機構で重量調整を行うことで変更することができ、即ち、ハンマー体でプランジャを打撃した際の衝撃の吸収度合いを前記重量調整機構で重量調整を行うことで変更することができる極めて実用性に秀れた画期的なテストハンマー用検定器となる。
【００６８】
また、請求項４記載の発明においては、上記作用効果を確実且つ良好に発揮することができる極めて実用性に秀れた画期的なテストハンマー用検定器となる。
【００６９】
また、請求項５記載の発明においては、簡易な構成で前記打撃硬体の重量，前記金属製弾性体の重量若しくは前記打撃硬体及び前記金属製弾性体の重量を調整することができる極めて実用性に秀れた画期的なテストハンマー用検定器となる。
【００７０】
また、請求項６記載の発明においては、一層簡易な構成で且つコスト安に前記打撃硬体の重量，前記金属製弾性体の重量若しくは前記打撃硬体の重量及び前記金属製弾性体の重量を調整することができる極めて実用性に秀れた画期的なテストハンマー用検定器となる。
【図面の簡単な説明】
【図１】本実施例のテストハンマー用検定器の内部構造を示す説明図である。
【図２】本実施例のプランジャを介してハンマー体でアンビルウエイトを打撃した際の状態を示す説明断面図である。
【図３】本実施例のテストハンマー用検定器と底板を示す説明斜視図である。
【図４】本実施例のテストハンマーの内部構造を示す断面図である。
【符号の説明】
１  テストハンマー本体
２  ハンマー体
３  スプリング
４  プランジャ
５  測定物
６  検定器本体
７  打撃硬体
８  金属製弾性体，弾性体
９  重量調整機構
１０  重量調整体（重量調整ボルト）
１０Ａ  重量調整重り
【図１】
2004245589.tif 000003
【図２】
2004245589.tif 000004
【図３】
2004245589.tif 000005
【図４】
2004245589.tif 000006